(57)【特許請求の範囲】
【請求項１】
表編地、裏編地及びそれらを上下に離隔してモノフィラメントにより連結する連結層から構成される三層一体編テープにおいて、前記表編地は吸水速乾糸が配されて編成され、前記裏編地は前記表編地と対向して一般糸又は吸水速乾糸が配されて編成されてなる三層一体編テープであって、前記表編地は左右側縁の所要巾が、吸水速乾糸が配されて密編みされる左側縁編部と右側縁編部が編成され、それらを両側に接続する中間編部が、吸水速乾糸が配されてメッシュ編みされ、前記裏編地は前記表編地と対向して一般糸又は吸水速乾糸が配されて平編みされてなる三層一体編テープ。
【請求項２】
前記裏編地は一般糸又は吸水速乾糸が配されて編成され、前記表編地と同幅に本体部が対向するとともにその左側縁に突出する左耳部と右側縁に突出する右耳部とが一般糸又は吸水速乾糸が配されて編成されて配備され、前記表編地と裏編地の左耳部と右耳部を除く部分が、所要に離隔して弾力性のあるモノフィラメントにより連結されてなる請求項１の三層一体編テープ。
【請求項３】
前記裏編地は一般糸又は吸水速乾糸が配されて編成され、前記表編地と同幅に本体部が対向するとともにその左側縁に突出する左耳部と右側縁に突出する右耳部とが一般糸又は吸水速乾糸が配されて編成されて配備され、かつ、該左耳部と右耳部には一般糸又は吸水速乾糸よる左被覆編みと右被覆編みが施され、前記表編地と裏編地の左耳部と右耳部を除く部分が上下を所要に離隔して弾力性のあるモノフィラメントにより連結されてなる請求項１又は請求項２の三層一体編テープ。
【発明の詳細な説明】
【技術分野】
【０００１】
本発明は、吸水速乾・通気・クッション性及びフィット性の機能を具える三層一体編テープに関するものである。
【背景技術】
【０００２】
特許文献１には、長手方向の経糸に吸水性に富みかつ速乾性の繊維糸とポリウレタン系高弾性繊維糸を、幅方向の緯糸にポリウレタン系高弾性繊維糸を用いて平織された長手と幅の二方向に伸縮し、かつ抗菌加工された汗取り帯が、野球帽、サンバイザー、登山用ハットなどのクラウン内周に逢着された帽子が提案されている。
【０００３】
特許文献２には、環状起毛素材３又は立毛状起毛素材５の裏面に吸水速乾性素材２を設け二層構造とし、表面には防水性素材１を被覆加工した構造を有する防水性吸湿速乾素材が提案されている。
【０００４】
特許文献３には、表裏二層の編地と該二層の編地を連結するモノフィラメントによる連結糸からなる連結層で構成された立体編地であって、立体編物、表層単独編地及び裏層単独編地の張設圧縮撓み量が、いずれも２０ｍｍ以上８５ｍｍ以下であり、［（表層単独編地の張設圧縮撓み量）／（裏層単独編地の張設圧縮撓み量）］の値が１．２以上１．９以下であり、連結層圧縮寄与余裕度が１．０以上３．０以下である立体編物が提案されている。
【０００５】
【特許文献１】実用新案登録第３１２８６２７号公報
【特許文献２】特開平９−１４１７７５号公報
【特許文献３】特開２００４−２１８１１４号公報
【発明の開示】
【発明が解決しようとする課題】
【０００６】
前記特許文献１で提案される汗取り帯は、吸水速乾性繊維糸と高弾力繊維糸を経糸に、高弾力繊維糸を緯糸に平織されて長手と幅の二方向に伸縮しかつ抗菌加工されたものであるが、単層であるために機能部材としてのクッション性及びフィット性に欠けるものであった。
【０００７】
前記特許文献２で提案される防水性吸湿速乾素材は、表面に吸水速乾素材２が、裏面に環状起毛素材３又は立毛状起毛素材５が配備されるものであるから機能部材としてのクッション性及びフィット性には欠けるものであった。
【０００８】
前記特許文献３で提案される立体編物は、表裏二層の編地と、該二層の編地を連結するモノフィラメントによる連結糸からなる連結層で構成される立体編地であるが、用途物品の吸水速乾機能と通気機能を目的としていない。
【０００９】
本発明の三層一体編テープは、吸水速乾・通気・クッション性及びフィット性を機能部材として高度に奏することを目的になされたものである。
【課題を解決するための手段】
【００１０】
表編地、裏編地及びそれらを上下に離隔してモノフィラメントにより連結する連結層から構成される三層一体編テープにおいて、前記表編地は吸水速乾糸が配されて編成され、前記裏編地は前記表編地と対向して一般糸又は吸水速乾糸が配されて編成されてなる三層一体編テープであって、前記表編地は左右側縁の所要巾が、吸水速乾糸が配されて密編みされる左側縁編部と右側縁編部が編成され、それらを両側に接続する中間編部が、吸水速乾糸が配されてメッシュ編みされ、前記裏編地は前記表編地と対向して一般糸又は吸水速乾糸が配されて平編みされてなる三層一体編テープにある。
【００１１】
前記裏編地は一般糸又は吸水速乾糸が配されて編成され、前記表編地と同幅に本体部が対向するとともにその左側縁に突出する左耳部と右側縁に突出する右耳部とが一般糸又は吸水速乾糸が配されて編成されて配備され、前記表編地と裏編地の左耳部と右耳部を除く部分が、所要に離隔して弾力性のあるモノフィラメントにより連結されてなる三層一体編テープとしてもよいものである。
【００１２】
前記裏編地は一般糸又は吸水速乾糸が配されて編成され、前記表編地と同幅に本体部が対向するとともにその左側縁に突出する左耳部と右側縁に突出する右耳部とが一般糸又は吸水速乾糸が配されて編成されて配備され、かつ、該左耳部と右耳部には一般糸又は吸水速乾糸よる左被覆編みと右被覆編みが施され、前記表編地と裏編地の左耳部と右耳部を除く部分が上下を所要に離隔して弾力性のあるモノフィラメントにより連結されてなる三層一体編テープとしてもよいものである。
【発明の効果】
【００１３】
本発明の三層一体編テープは、吸水速乾・通気・クッション性及びフィット性の機能を奏する多機能の編みテープを提供し、衣服、身の回り品その他多数の用品に活用できるものである。
【図面の簡単な説明】
【００１４】
【図１】本発明の三層一体編テープの第１実施例を示す表面図である。
【図２】同じく、第１実施例を示す裏面図である。
【図３】同じく、一部の拡大部分表面図である。
【図４】図３のＡ−Ａ線に沿う断面図である。
【図５】同じく、第１実施例の三層一体編テープを帽子のスベリに実施した実施例の斜視図である。
【図６】本発明の三層一体編テープの第２実施例を示す表面図である。
【図７】同じく、第２実施例を示す裏面図である
【図８】同じく、一部の拡大部分表面図である。
【図９】図８のＢ−Ｂ線に沿う断面図である。
【図１０】同じく、第２実施例の三層一体編テープの左耳部と右耳部に被覆編を施した実施例を示す説明断面図である。
【図１１】同じく、第２実施例の三層一体編テープをスラックスのウエストベルトに実施した実施例の斜視図である。
【発明を実施するための最良の形態】
【００１５】
表編地、裏編地及びそれらを上下に離隔してモノフィラメントにより連結する連結層から設けられる三層一体編テープにおいて、前記表編地は左右側縁の所要巾が、吸水速乾糸が配されて密編みされる左側縁編部と右側縁編部が編成され、それらを両側に接続する中間編部が、吸水速乾糸が配されてメッシュ編みに編成され、前記裏編地は一般糸又は吸水速乾糸が配されて平編みに編成され、前記表編地と同幅に本体部が同幅に対向するとともに上下を所要に離隔して弾力性のあるモノフィラメントにより連結されてなる三層一体編テープ。
【実施例１】
【００１６】
本発明の三層一体編テープの第１実施例の三層一体編テープ１を図１〜図４により説明すると、第１実施例の三層一体編テープ１は、表編地２、裏編地３及びそれらを上下に離隔してモノフィラメントで連結する連結層４が経編み機により編成されるものである。
【００１７】
前記表編地２は、その長手方向を前後方向とし、横断方向を左右方向とすると、左右方向の全巾が、吸水速乾糸５が配されてなる編地としてもよいが、図面に示す第１実施例では、左右側縁の所要巾が、吸水速乾糸５が配されてリブ編みされて密編みの左側縁編部２ａと右側縁編部２ｂが編成され、それらを両側に接続する中間編部２ｃが、同じく、吸水速乾糸５が配されてメッシュ編みに編成される。
【００１８】
前記裏編地３は、前記表編地２と同幅で、一般糸６が配されてなる編地としてもよいが、図面に示す第１実施例では平編みされて編成される。
【００１９】
前記モノフィラメントで連結する連結層４は、弾力性のあるモノフィラメント７を使用し、前記表編地２と裏編地３が所要に離隔されて連結され、表編地２と裏編地３に通気性とクッション性を付与する。
【００２０】
前記表編地２に配される吸水速乾糸５は、ポリエステル１００％である。前記裏編地３に配される一般糸６は、吸水速乾に機能を特化されていない一般のポリエステル１００％の糸である。前記連結層４に使用されるモノフィラメント７は、ナイロン１００％であるが、ポルエステル１００％であってもよいものである。
【００２１】
前記表編地２の左側縁編部２ａと右側縁編部２ｂのリブ編みと中間編部２ｃのメッシュ編みは吸水速乾糸５と一般糸６が混在する編成としてもよいものである。また、前記裏編地３は、図示しないが、吸水速乾糸５による編成としてもよいものである。また、同じく、図示しないが、前記裏編地３は、一般糸６と吸水速乾糸５とが混在する編成としてもよいものである。
【００２２】
前記第１実施例の三層一体編テープ１は、上述のように構成され、特に図面に示すように、前記表編地２の左側縁編部２ａと右側縁編部２ｂのリブ編みと中間編部２ｃのメッシュ編みの組み合わせにより構成した表編地２が押圧を受けた場合に、第１に、左右側縁編部２ａ、２ｂの型くずれがなく、側縁形状を維持することができる。第２に、中間編部２ｃのメッシュ編み部分は左右側縁部２ａ、２ｂに比較して通気性を大幅に確保し、吸水水分を速乾させることができる。
【００２３】
前記裏編地３は、一般糸６で編成されるものでは、基盤の強度の強化と耐久性を確保できる。
また、吸水速乾糸５を配したものでは、表編地２と裏編地３を相対して二重に吸水速乾機能を奏する。
【００２４】
前記連結層４には、弾力性のあるモノフィラメント７が使用され、上方の表編地２は、左側縁編部２ａと右側縁編部２ｂのリブ編みと中間編部２ｃのメッシュ編みに接続するので、リブ編みの左側縁編部２ａと右側縁編部２ｂでは密に接続し、メッシュ編みの中間編部２ｃでは、編目の部分の連結をなくし、前記のテープの側縁形状の維持と、通気性の大幅拡大確保に寄与し、かつ、本来の目的である上方の表編地２と下方の裏編地３を所要に離隔し、それらにクッション性を確保する。
【００２５】
前記第１実施例の三層一体編テープ１は、上述のように構成されるから、図５に示す実施例のように、帽子８の帽体８ａの下端内面の下縁寄りに三層一体編テープ１を逢着してスベリ９として配備することができ、表編地２のリブ編みとメッシュ編みの組み合わせは、帽子８を着用したとき、頭に当る部分の摩擦を少なくして快適感を持たせるものである。また、吸水速乾糸５で編成される表編地２が着用者の頭から発生する汗を直接に吸水速乾し、汗による不快感を解消するものである。前記一般糸６で編成される裏編地３は、基盤の強度の強化と耐久性を確保できる。また、裏編地３に吸水速乾糸５を配したものでは、表編地２と裏編地３を相対して二重に吸水速乾機能を奏するものである。
【００２６】
また、前記連結層４は、弾力性のあるモノフィラメント７を使用しているから、帽子８を着用した状態で充分な通気機能と良好なフィット感を備え、帽子８が脱げにくい安定感を付与するものである。
【実施例２】
【００２７】
次に、本発明の三層一体編テープの第２実施例の三層一体編テープ１０を図６〜図１１により説明すると、第２実施例の三層一体編テープ１０は、表編地１１、裏編地１２及びそれらを上下に所要に離隔してモノフィラメント７で連結する連結層１３が経編み機により編成されるものである。
【００２８】
前記表編地１１は、前記第１実施例の三層一体編テープ１の表編地２と同様の編地でもよいが、図面に示す実施例では、左右側縁の所要巾が、吸水速乾糸５が配されてリブ編みされて密編みの左側縁編部１１ａと右側縁編部１１ｂが設けられ、それらを両側に接続する中間編部１１ｃが、同じく、吸水速乾糸５が配されてメッシュ編みされて編成される。
【００２９】
前記裏編地１２は、前記第１実施例の三層一体編テープ１の裏編地３と同様の一般糸６が配されて平編みされ、前記表編地１１と同幅に本体部１２ｃが対向するとともにその左側縁に突出する左耳部１２ａと右側縁に突出する右耳部１２ｂが、一般糸６が配されて編成されて配備される。そして、図１０に示すように、左耳部１２ａと右耳部１２ｂは一般糸６による左被覆編み１４ａと右被覆編み１４ｂを施してもよいものである。
【００３０】
前記裏編地１２は吸水速乾糸５が配されて編成されてもよいものである。また、前記裏編地１２の左耳部１２ａと右耳部１２ｂには吸水速乾糸５により編成してもよいものである。また、左耳部１２ａと右耳部１２ｂには吸水速乾糸５により左被覆編み１４ａと右被覆編み１４ｂが施してもよいものである。また、裏編地１２に吸水速乾糸５を配したものでは、表編地１１と裏編地１２を相対して二重に吸水速乾機能を奏するものである。
【００３１】
前記連結層１３は、前記第１実施例の三層一体編テープ１の連結層４と同様の弾力性のあるモノフィラメント７を使用し、前記表編地１１と裏編地１２の左耳部１２ａと右耳部１２ｂを除く部分が所要に離隔して連結され、表編地１１と裏編地１２に良好な通気性とクッション性が付与される。
【００３２】
前記表編地１１の左側縁編部１１ａと右側縁編部１１ｂのリブ編みと中間編部１１ｃのメッシュ編みは吸水速乾糸５と一般糸６が混在する編成としてもよいものである。また、前記裏編地１２は一般糸６と吸水速乾糸５が混在する編成としてもよいものである。
【００３３】
前記表編地１１に配される吸水速乾糸５は、前記第１実施例の三層一体編テープ１の表編地２と同様のポルエステル１００％である。前記裏編地１２に配される一般糸６は、前記第１実施例の三層一体編テープ１の裏編地３と同様の吸水速乾に機能を特化されていない一般のポリエステル１００％の糸である。前記連結層１３に使用されるモノフィラメント７は、前記第１実施例の三層一体編テープ１の連結層４と同様のナイロン１００％であるが、ポルエステル１００％であってもよいものである。
【００３４】
前記第２実施例の三層一体編テープ１０は、上述のように構成されるから、前記第１実施例の三層一体編テープ１と同様の機能を奏し、加えて裏編地１２の左耳部１２ａと右耳部１２ｂとが設けられるから、部材への逢着が両側縁においてできる。また、図１１に示す実施例のように、左耳部１２ａと右耳部１２ｂの夫々に左被覆編み１４ａと右被覆編み１４ｂが施されるものでは、特に、図１１に示すように、スラックス１５のウエスト部の内面に第２実施例の三層一体編テープ１０を逢着してウエストベルト１６として配備することができ、実施例の表編地１１のリブ編みとメッシュ編みの組み合わせは、スラックス１５を着用したとき、ウエストに当る部分の摩擦を少なくして快適感を持たせるものである。また、吸水速乾糸５で配される表編地１１は着用者の汗を吸水速乾し、ウエスト部分の快適感を持続する機能を奏するものである。
【００３５】
また、連結層１３は、弾力性のあるモノフィラメント７を表編地１１と裏編地１２との間に構成されてスラックス１５のウエスト部分に充分な通気機能と良好なフィット感を具備させ、またウエスト部分がずれにくく安定して着用することができる。
【００３６】
前記裏編地１２の左耳部１２ａと右耳部１２ｂに左被覆編み１４ａと右被覆編み１４ｂが夫々施される実施例では、左耳部１２ａと右耳部１２ｂを構成する一般糸６が白色の場合は、左被覆編み１４ａと右被覆編み１４ｂを施す一般糸６を、例えば、黒色のものを配し、前記左耳部１２ａと右耳部１２ｂの汚れを防ぐことができ、同時に前記左耳部１２ａと右耳部１２ｂの強度を補強することもできるものである。
【産業上の利用可能性】
【００３７】
本発明の三層一体編テープは、衣服、身の回り品その他多数の用品に吸水速乾・通気・クッション性及びフィット性を高度に機能させることができ、該機能を発揮する新規商品の需要を喚起するものである。
【符号の説明】
【００３８】
１  第１実施例の三層一体編テープ
２  表編地
２ａ  左側縁編部
２ｂ  右側縁編部
２ｃ  中間編部
３  裏編地
４  連結層
５  吸水速乾糸
６  一般糸
７  モノフィラメント
８  帽子
８ａ  帽体
９  スベリ
１０  第２実施例の三層一体編テープ
１１  表編地
１１ａ  左側縁編部
１１ｂ  右側縁編部
１１ｃ  中間編部
１２  裏編地
１２ａ  左耳部
１２ｂ  右耳部
１２ｃ  本体部
１３  連結層
１４ａ  左被覆編み
１４ｂ  右被覆編み
１５  スラックス
１６  ウエストベルト
【図１】
0005960980.tif 000002
【図２】
0005960980.tif 000003
【図３】
0005960980.tif 000004
【図４】
0005960980.tif 000005
【図５】
0005960980.tif 000006
【図６】
0005960980.tif 000007
【図７】
0005960980.tif 000008
【図８】
0005960980.tif 000009
【図９】
0005960980.tif 000010
【図１０】
0005960980.tif 000011
【図１１】
0005960980.tif 000012